(57)【要約】【課題】ドア自体に改造を施す必要がなく、設置作業性に優れ、人の出入りに合わせて確実に取手を消毒して清潔に保つことができるドア用取手消毒装置を提供する。【解決手段】ドア１１が設けられた壁体１３の取手側方位置に取付けられ、消毒手段１６と、消毒手段１６による取手１２の消毒を可能とするドア１１側の消毒位置１７とドア１１の開閉を可能とする壁体１３側の退避位置１８との間で消毒手段１６を移動させる往復移動手段１９と、退避位置１８で消毒手段１６を覆うカバー部２０とを備える。【選択図】図２
2020022715.tif 000002
【特許請求の範囲】
【請求項１】
ドアの取手を消毒するドア用取手消毒装置であって、
前記ドアが設けられた壁体の取手側方位置に取付けられ、消毒手段と、前記消毒手段による前記取手の消毒を可能とする前記ドア側の消毒位置と前記ドアの開閉を可能とする前記壁体側の退避位置との間で前記消毒手段を移動させる往復移動手段と、前記退避位置で前記消毒手段を覆うカバー部とを備えることを特徴とするドア用取手消毒装置。
【請求項２】
請求項１記載のドア用取手消毒装置において、前記カバー部は、前記往復移動手段によって前記消毒手段と共に移動し、前記消毒位置では、前記消毒手段及び前記取手を覆うことを特徴とするドア用取手消毒装置。
【請求項３】
請求項２記載のドア用取手消毒装置において、前記ドアが閉じられたら、前記往復移動手段により前記消毒手段及び前記カバー部を前記退避位置から前記消毒位置に移動させることを特徴とするドア用取手消毒装置。
【請求項４】
請求項３記載のドア用取手消毒装置において、前記消毒手段が前記消毒位置にある間に、予め設定した待機時間を超えたら前記消毒手段で前記取手を消毒することを特徴とするドア用取手消毒装置。
【請求項５】
請求項１〜４のいずれか１記載のドア用取手消毒装置において、前記消毒手段は、前記取手に対して、薬液消毒、オゾンガス殺菌、及び紫外線殺菌のいずれか１を行うことを特徴とするドア用取手消毒装置。
【請求項６】
請求項５記載のドア用取手消毒装置において、前記薬液消毒に用いる薬液には芳香剤が混合されていることを特徴とするドア用取手消毒装置。
【請求項７】
請求項１〜６のいずれか１記載のドア用取手消毒装置において、前記往復移動手段は、ラックピニオン機構、スライダークランク機構、及びピストンシリンダ機構のいずれか１を備えていることを特徴とするドア用取手消毒装置。
【請求項８】
請求項１〜７のいずれか１記載のドア用取手消毒装置において、前記消毒手段、前記往復移動手段、及び前記カバー部を有する取手消毒ユニットが、前記壁体の表裏にそれぞれ取付けられることを特徴とするドア用取手消毒装置。
【請求項９】
請求項８記載のドア用取手消毒装置において、前記各取手消毒ユニットの動作は同期して行われることを特徴とするドア用取手消毒装置。
【発明の詳細な説明】
【技術分野】
【０００１】
本発明は、各種施設等におけるドアの取手（ドアノブ型、レバーハンドル型、長取手型等）を消毒（殺菌）して清潔に保つドア用取手消毒装置に関する。
【背景技術】
【０００２】
従来、飲食店、病院、その他の公共施設等においては、衛生のために定期的に施設内の清掃や消毒等が行われている。しかし、このような公衆が利用する施設は、常に不特定多数の利用者が出入りしており、一人一人の利用者が出入りする度に、各ドアの取手を消毒（殺菌）することは不可能である。このため、ドアの取手には雑菌が繁殖し易く、その状態を放置することは衛生上問題がある。そこで、例えば特許文献１には、トイレや調理場等の任意の扉（ドア）に取付け、扉のドアノブ表面についた菌を殺菌するドアノブ用殺菌装置が開示されている。
【先行技術文献】
【特許文献】
【０００３】
【特許文献１】特開２００３−３０７０４９号公報
【発明の概要】
【発明が解決しようとする課題】
【０００４】
しかしながら、特許文献１では、ドアノブ用殺菌装置がドアノブの周囲を囲むようにして扉の表面に取付けられるので、扉を開閉する際に、ドアノブ用殺菌装置も扉と一緒に移動することになる。このため、扉の重量が増加して、開閉作業性が低下すると共に、扉の表面にドアノブ用殺菌装置が突出し、人の出入りや荷物の通過を妨げるおそれがあり、取り扱い性に欠けるという問題がある。また、ドアノブ用殺菌装置に外部（商用電源）から電力を供給する場合、扉の開閉時に電源ケーブルが邪魔にならないように、電源ケーブルを扉の内部に通す（収容する）か、扉の外面に固定する必要があり、電気配線に手間がかかって、設置作業性に欠けるという問題がある。
本発明は、かかる事情に鑑みてなされたもので、ドア自体に改造を施す必要がなく、設置作業性に優れ、人の出入りに合わせて確実に取手を消毒して清潔に保つことができるドア用取手消毒装置を提供することを目的とする。
【課題を解決するための手段】
【０００５】
前記目的に沿う本発明に係るドア用取手消毒装置は、ドアの取手を消毒するドア用取手消毒装置であって、
前記ドアが設けられた壁体の取手側方位置に取付けられ、消毒手段と、前記消毒手段による前記取手の消毒を可能とする前記ドア側の消毒位置と前記ドアの開閉を可能とする前記壁体側の退避位置との間で前記消毒手段を移動させる往復移動手段と、前記退避位置で前記消毒手段を覆うカバー部と、前記ドアへの人の接近を検知する人感センサとを備える。
【０００６】
ここで、前記人感センサで前記ドアへの人の接近を検知した時に、ａ）前記消毒手段が前記消毒位置にあり、前記取手が消毒済みであれば、前記往復移動手段により前記消毒手段を前記退避位置に移動させ、ｂ）前記消毒手段が前記消毒位置にあり、前記取手が未消毒であれば、前記消毒手段で前記取手を消毒してから前記往復移動手段により前記消毒手段を前記退避位置に移動させ、ｃ）前記消毒手段が前記退避位置にあれば、前記往復移動手段により前記消毒手段を前記消毒位置に移動させ、前記消毒手段で前記取手を消毒してから前記往復移動手段により前記消毒手段を前記退避位置に移動させるようにするのが好ましい。
【０００７】
本発明に係るドア用取手消毒装置において、前記カバー部は、前記往復移動手段によって前記消毒手段と共に移動し、前記消毒位置では、前記消毒手段及び前記取手を覆うことが好ましい。
【０００８】
本発明に係るドア用取手消毒装置において、前記ドアが閉じられたら、前記往復移動手段により前記消毒手段及び前記カバー部を前記退避位置から前記消毒位置に移動させることが好ましい。
【０００９】
本発明に係るドア用取手消毒装置において、前記消毒手段が前記消毒位置にある間に、予め設定した待機時間を超えたら前記消毒手段で前記取手を消毒することが好ましい。
【００１０】
本発明に係るドア用取手消毒装置において、前記消毒手段は、薬液消毒、オゾンガス殺菌、及び紫外線殺菌のいずれか１により前記取手を消毒することが好ましい。
【００１１】
本発明に係るドア用取手消毒装置において、前記消毒手段の前記薬液消毒に用いる薬液に芳香剤を混合することができる。
【００１２】
本発明に係るドア用取手消毒装置において、前記往復移動手段は、ラックピニオン機構、スライダークランク機構、及びピストンシリンダ機構のいずれか１を備えていることが好ましい。
【００１３】
本発明に係るドア用取手消毒装置において、前記消毒手段、前記往復移動手段、前記カバー部、及び前記人感センサを有する取手消毒ユニットが、前記壁体の表裏にそれぞれ取付けられることが好ましい。
【００１４】
本発明に係るドア用取手消毒装置において、前記各取手消毒ユニットの動作は同期して行われることが好ましい。
【発明の効果】
【００１５】
本発明に係るドア用取手消毒装置は、ドアが設けられた壁体の取手側方位置に取付けられるので、ドアに改造を施す必要がなく、設置作業が容易で、設置後もドアの表面に取手以外の突起物がなく、人の出入りや荷物の通過が妨げられず、取り扱い性に優れる。また、人感センサでドアへの人の接近を検知した時に、消毒手段で確実に取手を消毒してから往復移動手段により消毒手段を退避位置に移動させて、ドアを開閉可能とすることができるので、未消毒状態の取手に人が触れることを防止でき、清潔性に優れる。さらに、退避位置で消毒手段を覆うカバー部を有するので、カバー部で消毒手段を保護することができ、安全性に優れる。
【００１６】
カバー部が、往復移動手段によって消毒手段と共に移動し、消毒位置で、消毒手段及び取手を覆う場合、消毒手段で用いる薬液の周囲への飛び散りや床への垂れ落ち又は紫外線の漏れ等を防止してメンテナンス性及び安全性を向上させ、効率的に消毒を行うことができる。
【００１７】
ドアが閉じられた状態で、往復移動手段により消毒手段及びカバー部を退避位置から消毒位置に移動させる場合、空気中の細菌等が取手に付着し難く、また、不用意に人が取手や消毒手段に触れることを防止でき、消毒手段による消毒効果を高めることができる。
【００１８】
消毒手段が消毒位置にある間に、予め設定した待機時間を超えたら消毒手段で取手を消毒する場合、細菌等の繁殖を防いで取手を常に清潔に保つことができ、消毒の確実性に優れる。
【００１９】
消毒手段が、取手に対して、薬液消毒、オゾンガス殺菌、及び紫外線殺菌のいずれか１を行う場合、簡単かつ効果的に取手を消毒することができる。
【００２０】
消毒手段の薬液消毒に用いる薬液に芳香剤を混合した場合、消毒と同時にリラックス効果が得られ、機能性に優れる。
【００２１】
往復移動手段が、ラックピニオン機構、スライダークランク機構、及びピストンシリンダ機構のいずれか１を備えている場合、簡素な構造で消毒手段を確実に往復移動させて、所定の位置に保持することができ、動作の安定性に優れる。
【００２２】
消毒手段、往復移動手段、カバー部、及び人感センサを有する取手消毒ユニットが、壁体の表裏にそれぞれ取付けられる場合、ドアの表裏に取付けられた各取手を清潔に保つことができ、実用性に優れる。
【００２３】
各取手消毒ユニットの動作が同期して行われる場合、ドアの表裏の取手が同時に消毒されるので、表裏の取手を安心して使用することができ、ドアの開閉をスムーズに行うことができる。また、表裏のいずれか一方の消毒手段が動作して消毒が行われている時に、他方側からドアを開けられることがなく、消毒作業の確実性に優れると共に、ドア用取手消毒装置の破損を防止することができ、安全性に優れる。
【図面の簡単な説明】
【００２４】
【図１】（Ａ）は本発明の第１の実施の形態に係るドア用取手消毒装置の消毒手段が退避位置にある状態を示す正面図であり、（Ｂ）は（Ａ）のＡ−Ａ線矢視断面図である。
【図２】（Ａ）、（Ｂ）はそれぞれ同ドア用取手消毒装置の消毒手段が消毒位置にある状態を示す側面図及び正面図である。
【図３】（Ａ）は本発明の第２の実施の形態に係るドア用取手消毒装置の消毒手段が退避位置にある状態を示す正面図であり、（Ｂ）は同ドア用取手消毒装置の消毒手段が消毒位置にある状態を示す正面図である。
【発明を実施するための形態】
【００２５】
続いて、添付した図面を参照しつつ、本発明を具体化した実施の形態につき説明し、本発明の理解に供する。
図１（Ａ）、（Ｂ）、図２（Ａ）、（Ｂ）に示すように、本発明の第１の実施の形態に係るドア用取手消毒装置１０は、飲食店、病院、その他の各種施設等におけるドア１１の取手１２を消毒するものであり、ドア１１が設けられた壁体（ドア枠を含む）１３の取手側方位置（取手１２の外側位置）に取付けられる。このドア用取手消毒装置１０は、図１（Ｂ）に示すように、壁体１３の表裏にそれぞれ取付けられる取手消毒ユニット１５を有している。
各取手消毒ユニット１５は、図２（Ａ）、（Ｂ）に示すように、消毒手段１６と、消毒手段１６による取手１２の消毒を可能とするドア１１側の消毒位置１７（図２（Ｂ）参照）とドア１１の開閉を可能とする壁体１３側の退避位置１８（図１（Ａ）、（Ｂ）参照）との間で消毒手段１６を移動させる往復移動手段１９と、退避位置１８で消毒手段１６及び往復移動手段１９を覆うカバー部２０と、ドア１１への人の接近を検知する人感センサ２１を有している。
【００２６】
以下、各取手消毒ユニット１５の詳細について説明する。
まず、消毒手段１６は、図２（Ａ）に示すように、薬液が貯留された薬液タンク２２と、薬液タンク２２に接続された上下２本の薬液噴射ノズル２３を備えている。この消毒手段１６は、図２（Ａ）に示すように、側面視して略コ字形に形成されたカバー部２０の内部に取付けられている。カバー部２０の開口側（壁体１３側）の上下には、カバー部２０の長手方向（図２（Ｂ）の左右方向）に沿って凸条の係止部２４がそれぞれ形成されている。そして、壁体１３には、カバー部２０と対となる基板部２５が取付けられている。基板部２５の上下には長手方向（図２（Ｂ）の左右方向）に沿って溝状のガイド部２６がそれぞれ形成されており、カバー部２０の各係止部２４が各ガイド部２６に係合することにより、基板部２５に対してカバー部２０が往復移動（摺動）可能に保持されている。なお、係止部とガイド部は、互いに係合して摺動可能に保持されていればよく、その形状や構成は適宜、選択することができる。また、必要に応じて係止部側又はガイド部側にカムフォロアを取付けてもよい。
次に、往復移動手段１９は、図２（Ａ）、（Ｂ）に示すように、ラック２８とピニオン２９からなるラックピニオン機構３０と、正逆回転可能なモータ３１を備えている。このとき、ラック２８はカバー部２０の内側上面に、カバー部２０の長手方向に沿って取付けられており、モータ３１は基板部２５に固定されている。従って、モータ３１を駆動することにより、モータ３１の回転軸３２に取付けられたピニオン２９を正逆回転させ、ピニオン２９と噛合するラック２８を往復移動させることができる。
【００２７】
以上の構成により、往復移動手段１９によって、消毒手段１６と共にカバー部２０を消毒位置１７と退避位置１８との間で移動させることができる。そして、図２（Ａ）、（Ｂ）に示すように、消毒手段１６が消毒位置１７にある時に、薬液噴射ノズル２３の先端から取手１２の外周部に薬液を噴射することにより、取手１２を薬液消毒することができる。このとき、消毒位置１７では、消毒手段１６及び取手１２がカバー部２０で覆われるので、消毒手段１６で用いる薬液の周囲への飛び散りや床への垂れ落ちを防止することができる。薬液としては、アルコール（例えばエタノール、イソプロパノール等）が好適に用いられるが、この他にも人体（皮膚）に無害で細菌等を消毒（殺菌）することができる揮発性の薬液であれば適宜、使用することができる。なお、薬液には必要に応じて、芳香剤又は消臭剤等を混合してもよい。また、必要に応じて、温風で取手１２を乾燥させてもよい。
【００２８】
人感センサ２１はカバー部２０の前面に取付けられており、赤外線、可視光線、超音波、静電容量などを用いた人感センサ２１でドア１１への人の接近を検知した時に、取手消毒ユニット１５の内部に設けられた制御部（図示せず）からの指令により、往復移動手段１９のモータ３１及び消毒手段１６が所定の動作を行う。具体的には、人感センサ２１でドア１１への人の接近を検知した時に、ａ）消毒手段１６が消毒位置１７にあり、取手１２が消毒済みであれば、往復移動手段１９により消毒手段１６を退避位置１８に移動させ、ｂ）消毒手段１６が消毒位置１７にあり、取手１２が未消毒であれば、消毒手段１６で取手１２を消毒して往復移動手段１９により消毒手段１６を退避位置１８に移動させ、ｃ）消毒手段１６が退避位置１８にあれば、往復移動手段１９により消毒手段１６を消毒位置１７に移動させ、消毒手段１６で取手１２を消毒してから、往復移動手段１９により消毒手段１６を退避位置１８に移動させる。
いずれの場合も、消毒手段１６を退避位置１８に移動させた後は、取手１２が消毒されており、ドア１１が開放されて（拘束されることなく）開閉可能な状態となるので、取手１２を使ってドア１１を開閉することができる。このとき、各取手消毒ユニット１５の動作が同期して行われることにより、ドア１１の表裏の取手１２が同時に消毒されるので、表裏の取手１２を安心して使用することができ、ドア１１の開閉をスムーズに行うことができる。また、表裏のいずれか一方の消毒手段１６が動作して消毒が行われている時に、他方側からドア１１を開けられることがなく、安全性に優れる。
【００２９】
人の出入りが完了してドア１１が閉じられたら、図２（Ｂ）に示すように、往復移動手段１９により消毒手段１６及びカバー部２０を退避位置１８から消毒位置１７に移動させることが好ましい。これにより、取手１２がカバー部２０で覆われ、空気中の細菌等が取手１２に付着し難く、不用意に人が取手１２や消毒手段１６に触れることを防止できる。また、消毒手段１６を消毒位置１７に移動させた状態なので、予め消毒手段１６で取手１２を消毒して待機すること（上記ａ）の動作）もできるし、人が接近した時に直ちに消毒手段１６で取手１２を消毒すること（上記ｂ）の動作）もできる。さらに、消毒手段１６が消毒位置にある間に、予め設定した待機時間を超えたら消毒手段１６で取手１２を消毒するようにすれば、時間の経過と共に空気中の細菌等が取手１２に付着したとしても、その繁殖を防いで取手１２を常に清潔に保つことができる。なお、待機時間の長さは適宜、選択することができ、消毒手段１６が消毒位置にある間は、繰返し消毒手段１６で取手１２を消毒することが好ましい。このとき、消毒手段１６で消毒を繰返す間隔（周期）は適宜、選択することができ、定期的（一定間隔）でもよいし、不定期でもよい。ドア１１が閉じられているか否かは、別途、近接センサ等により検知することが好ましい。
【００３０】
なお、消毒手段１６、往復移動手段１９、及び人感センサ２１の動作に必要な電力は、取手消毒ユニット１５の内部に収容した電池から供給してもよいし、商用電源から供給してもよい。取手消毒ユニット１５が壁体１３に取付けられているので、商用電源を使用する場合も、電源コードの接続を簡単に行うことができ、ドア１１を開閉する際に、配線が字邪魔になることもない。また、カバー部は金属製でも合成樹脂製でもよく、その色はドア１１又は壁体１３の色等に応じて、適宜、選択することができ、カバー部を交換可能な構造とすれば、様々なデザインに対応することができる。また、カバー部の外側に、装飾用カバーを着脱可能な構成とした場合、カバー部が金属製でも、様々な色、文字、又は模様等で簡単に装飾を施すことができ、多様性及び美観性に優れる。
【００３１】
本実施の形態では、消毒手段１６が消毒位置１７及び退避位置１８のいずれの位置にある場合でも、消毒手段１６及び往復移動手段１９をカバー部２０で保護する構造として安全性を確保したが、往復移動手段１９の構造や配置によっては、消毒手段１６のみをカバー部２０で保護する構造としてもよい。往復移動手段をカバー部２０の外部に配置する場合は必要に応じて、別途、保護カバーを取付けてもよい。例えば、ラックピニオン機構を備えた往復移動手段の場合、ラックはカバー部の内側上面以外に、内側下面、外側上面、及び外側下面のいずれの位置にも取付けることができる。このとき、ピニオン及びモータはラックの位置に応じて取付け位置を選択できるが、ピニオン及びモータをカバー部の外側に取付ける場合には、別途、保護カバーで覆って保護することが好ましい。また、ラックピニオン機構以外に、スライダークランク機構、ピストンシリンダ機構、電動シリンダ、又はその他の機構を備えた往復移動手段を用いることもできる。スライダークランク機構の場合、連結棒の先端はカバー部に連結してもよいし、消毒手段に直接、連結してもよい。このとき、スライダークランク機構はカバー部の内側に配置することが好ましいが、スライダークランク機構の動作（カバー部の移動）に伴ってスライダークランク機構の一部（例えば、クランクやクランクを駆動するモータ）が外部に露出する場合やスライダークランク機構をカバー部の外側に配置する場合は、別途、保護カバーで覆って保護することが好ましい。ピストンシリンダ機構の場合、ピストンの先端はカバー部に連結してもよいし、消毒手段に直接、連結してもよい。また、ピストンシリンダ機構の数は１つでも２つでもよい。例えば２つのピストンシリンダ機構をカバー部の上下に取付けた場合、カバー部の係止部及び基板部のガイド部を省略することもできる。
【００３２】
次に、本発明の第２の実施の形態に係るドア用取手消毒装置３４について説明する。なお、第１の実施の形態と同様の構成については、同一の符号を付して説明を省略する。
図３（Ａ）、（Ｂ）に示すドア用取手消毒装置３４は、壁体１３の表裏にそれぞれ取付けられる取手消毒ユニット３５を有しているが、各取手消毒ユニット３５の構成及び動作は同一なので、一方の取手消毒ユニット３５のみについて説明する。
取手消毒ユニット３５が取手消毒ユニット１５と異なる点は、図３（Ａ）、（Ｂ）に示すように、消毒手段３６の薬液噴射ノズル３７が正面視してコ字形に形成されている点と、往復移動手段３９がピストンシリンダ機構４０を備えており、ピストン４１の先端が直接、薬液噴射ノズル３７に連結されている点と、退避位置１８で消毒手段３６及び往復移動手段３９を覆うカバー部４２が壁体１３に固定されている点である。
【００３３】
ドア用取手消毒装置１０では、往復移動手段１９の駆動により、消毒手段１６及びカバー部２０が消毒位置１７と退避位置１８との間で移動したのに対し、ドア用取手消毒装置３４では、往復移動手段３９の駆動により、消毒手段３６のみが消毒位置１７と退避位置１８との間で移動するが、その他の動作はドア用取手消毒装置１０と同様であるので、説明を省略する。なお、消毒手段３６で用いる薬液も第１の実施の形態と同様のものが好適に用いられる。
本実施の形態では、ピストンシリンダ機構４０を備えた往復移動手段３９を用いたが、ラックピニオン機構、スライダークランク機構、又はその他の機構を備えた往復移動手段を用いてもよい。
また、カバー部は壁体１３に直接、取付けてもよいが、対となる基板部を介して取付けてもよい。カバー部と対となる基板部を有する場合、基板部に往復移動手段を取付けることにより、全ての構成を取手消毒ユニットとして一体化して容易に取り扱うことができ、壁体１３への着脱作業も容易に行うことができる。
【００３４】
以上、本発明の実施の形態を説明したが、本発明は何ら上記した実施の形態に記載の構成に限定されるものではなく、特許請求の範囲に記載されている事項の範囲内で考えられるその他の実施の形態や変形例も含むものである。
例えば、上記実施の形態では、薬液消毒を行う消毒手段について説明したが、消毒手段は取手を消毒できるものであればよく、オゾンガス殺菌又は紫外線殺菌等を行ってもよい。薬液タンク及び薬液噴射ノズルの代わりに、オゾンガス発生器又は紫外線照射器を取付ければ、同様に消毒を行うことができる。特に、紫外線殺菌を行う場合は、紫外線照射器の周囲をカバー部で覆うことにより、紫外線が周囲に漏れることを防止でき、安全性に優れる。さらに、カバー部の内部に反射板を取付け、紫外線照射器から照射される紫外線が取手側に反射するようにすれば、消毒の効率性を向上させることができる。
また、上記実施の形態では、人感センサをカバー部の前面に取付けたが、人感センサの取付け位置は、ドア（特に取手付近）への人の接近を検知できる範囲で適宜、選択することができる。よって、人感センサは直接、壁体に取付けてもよく、人感センサの検知の方式も適宜、選択することができる。
【００３５】
さらに、前記実施の形態では、ドアノブ型の取手に対して本発明のドア用取手消毒装置を適用した場合について説明したが、取手の形状はこれに限定されるものではなく、レバーハンドル型や長取手型の取手の他に、凹部に指先を引っ掛ける掘込み型の取手（引手ともいう）にも適用できる。いずれの場合にも、取手の形状に応じて、消毒手段及びカバー部の形状及び寸法を適宜、選択すればよい。また、取手の形状に応じて、例えば、薬液消毒の場合は薬液の噴射方向及び噴射範囲を適宜、選択し、紫外線殺菌の場合は紫外線の照射方向及び照射範囲を適宜、選択することにより、取手全体を斑なく確実に消毒することができる。なお、ドアは開き戸に限らず、引き戸であっても本発明のドア用取手消毒装置を適用できる。
また、前記実施の形態に係るドア用取手消毒装置において、消毒手段が取手側に移動する場合には、壁体側に設けたロック機構でドアの開閉を防止することもできる。
更には、消毒手段に加えて回転する又は振動するバフによるクリーニングを行うこともできる。
【符号の説明】
【００３６】
１０：ドア用取手消毒装置、１１：ドア、１２：取手、１３：壁体、１５：取手消毒ユニット、１６：消毒手段、１７：消毒位置、１８：退避位置、１９：往復移動手段、２０：カバー部、２１：人感センサ、２２：薬液タンク、２３：薬液噴射ノズル、２４：係止部、２５：基板部、２６：ガイド部、２８：ラック、２９：ピニオン、３０：ラックピニオン機構、３１：モータ、３２：回転軸、３４：ドア用取手消毒装置、３５：取手消毒ユニット、３６：消毒手段、３７：薬液噴射ノズル、３９：往復移動手段、４０：ピストンシリンダ機構、４１：ピストン、４２：カバー部
【図１】
2020022715.tif 000003
【図２】
2020022715.tif 000004
【図３】
2020022715.tif 000005